(57)【要約】着用者の身体の輪郭を、ファッショナブルかつ快適な様式で描き、そして規定する、体型を規定し輪郭を形作る衣服は、身ごろに結合された、後部トンネル、およびベルトを通って延びるベルトトンネルを有するベルトを備え、このトンネルは、衣服の後部の内側に沿って、股上の下部または股領域からベルトまで延びる。下部股上領域に固定された引きひもは、後部トンネルを通ってベルトまで上方に延び、このベルトにおいて、この引きひもは、ベルトにおけるダイバータ領域を通ってベルトトンネルへと移行する。後部トンネルとベルトトンネルとの間での引きひもの移行は、ベルト内に有利に隠される。ベルトのダイバータ領域は、衣服の下部股上部分に対して実質的に固定されており、その結果、衣服の後部トンネルおよび中央後部は、内側に引かれて、着用者の身体の輪郭を規定する。
2005530932.tif 000002
【特許請求の範囲】
【請求項１】
調整し得る衣服であって、該衣服は、以下：
身ごろ；
該身ごろにつながったベルト；
該身ごろの股部分から該身ごろの後面の内側に沿って上に延びる後面のトンネル；
該ベルトに形成されたベルトトンネル；
該身ごろの股部分に固定され、該後面のトンネルを通して上に延び、該ベルトトンネルに移行し、該ベルトトンネルを通して延び、ここで、該後面のトンネルと該ベルトトンネルとの間の絞りひもの移行が該ベルト内に配置される絞りひも；
を有する、調整し得る衣服。
【請求項２】
前記身ごろがさらに後面中心の股上線を有し、ここで、前記後面のトンネルが、該後面中心の股上線に沿って形成される、請求項１に記載の衣服。
【請求項３】
前記ベルトがさらにダイバータ領域を有する、請求項１に記載の衣服。
【請求項４】
前記ダイバータ部分が、実質的に前記股部分に対して固定される、請求項３に記載の衣服。
【請求項５】
前記ダイバータ部分が、安定化層を備える、請求項４に記載の衣服。
【請求項６】
前記安定化層が、融合素材を備える、請求項５に記載の衣服。
【請求項７】
前記ベルトが、表ベルトおよび裏ベルトを有する、請求項１に記載の衣服。
【請求項８】
前記裏ベルトが、第１層および第２層を有し、ここで、該第２層が該第１層と前記表ベルトとの間に挿入される、請求項７に記載の衣服。
【請求項９】
前記ベルトトンネルが、前記裏ベルトの前記第１層と前記第２層との間に形成される、請求項８に記載の衣服。
【請求項１０】
開口部が、前記第２層の中に形成され、前記ベルトトンネル内に開口する、請求項９に記載の衣服。
【請求項１１】
前記裏ベルトが、前記後面のトンネルの上端と重なる、請求項１０に記載の衣服。
【請求項１２】
前記ベルトのダイバータ部分内の第２層につながった第３層をさらに有する、請求項１０に記載の衣服。
【請求項１３】
調整し得る衣服であって、該衣服は、以下：
股部分を有する身ごろ；
身ごろにつながったベルト；および
該身ごろの該股部分内の第１点から該身ごろの後面部分の内側に沿って該ベルト内の第２点まで、上に延び、ここで該第２点が実質的に該第１点に対して固定される、後面のトンネル；
を有する、調整し得る衣服。
【請求項１４】
前記身ごろの前記股部分内の第１点に隣接して固定され、前記後面のトンネルを介して前記第２点まで上に延びる、絞りひもをさらに有する、請求項１３に記載の衣服。
【請求項１５】
さらに上部のトンネルを有し、ここで、前記絞りひもが、前記後面のトンネルから該上部のトンネルに移行し、該上部のトンネルを通して延びる、請求項１４に記載の衣服。
【請求項１６】
前記後面と前記上部のトンネルの間での絞りひもの移行が、外観から隠されている、請求項１５に記載の衣服。
【請求項１７】
前記身ごろが、さらに後面中心の股上線を有し、ここで、前記後面のトンネルが、該後面中心の股上線に沿って形成される、請求項１５に記載の衣服。
【請求項１８】
前記ベルトがさらに、前記ひきひもを前記上部のトンネルへと方向転換させるダイバータ部分を有する、請求項１５に記載の衣服。
【請求項１９】
前記ダイバータ部分が、実質的に前記股部分に対応して固定される、請求項１８に記載の衣服。
【請求項２０】
前記ダイバータ部分が、安定化層を有する、請求項１９に記載の衣服。
【請求項２１】
前記安定化層が、融合素材を有する、請求項２０に記載の衣服。
【請求項２２】
前記ベルトが、表ベルトおよび裏ベルトを有する、請求項１５に記載の衣服。
【請求項２３】
前記裏ベルトが、同一材料層および裏打ち層を有し、ここで、該裏打ち層が該同一材料層と前記表ベルトとの間に挿入される、請求項２２に記載の衣服。
【請求項２４】
前記表のトンネルが、前記裏ベルトの前記同一材料層と裏打ち層との間に形成される、請求項２３に記載の衣服。
【請求項２５】
開口部が、前記裏打ち層の中に形成され、前記表のトンネル内に開口する、請求項２４に記載の衣服。
【請求項２６】
前記裏ベルトが、前記後面のトンネルの上端と重なる、請求項２５に記載の衣服。
【請求項２７】
前記ベルトのダイバータ部分内の前記裏打ち層につながった融合層をさらに有する、請求項２６に記載の衣服。
【発明の詳細な説明】
【技術分野】
【０００１】
（本発明の分野）
本発明は、衣料品に関連し、そしてさらに特に調整可能な衣服における調整を容易にする衣服ベルトに関連する。
【背景技術】
【０００２】
（背景）
何百万人の男女が、日常の基盤上で彼らの外見を改善させることを目指す。彼らは、食事療法または運動を試し、そしてある人々は、彼らがいかに見えるかを改善させるために手術さえも試す。食事療法、運動および手術の代替または補足として、多くの個人が、体型を向上させるツールとして市場に出回る種々の衣服を利用することを選択した。
【０００３】
活動的着用衣料品は、このような衣服のためにある範囲の群で出現した。例えば、伸縮性ポリエステルまたはナイロンニット型布地（例えばＬｙｃｒａＴＭもしくはＳｕｐｐｌｅｘＴＭ）で作られた特定のショーツは、これらのショーツは着用者の臀部の形状を改善させることにより着用者の体型を向上させるとの主張とともに、しばしば市場に出回る。しかし、これらの主張とは対照的に、これらの衣服の多くは、非常にきつすぎて、これらは着用者の臀部の形状を改善させるどころか着用者の臀部を平坦にさせる。本質的に、これらのショーツは非常にきついので、これらは、ガードルであり、そして着心地が悪い。心地よく適合するショーツについては、これらは、主張したような着用者の臀部を向上させず、または輪郭を描かない。
【０００４】
米国特許Ｒｅ．３６，９０５（これは参考として援用される）に記載される体型を規定し輪郭を形作る衣服は、心地よい様式で、着用者の体の輪郭の所望の規定を提供する。体型を規定し輪郭を形作るこれらの衣服は、ズボンの低部背面股上部分から腰回り部分の周りに多岐に延びるトンネル縫い目を通して延びる調整システムを利用する。１つの設計において、衣服の股下線に留められた絞りひもおよび股上の接合部領域は、ズボンの後部に沿って股下線および股上の接合部領域からベルトへと上向きに延びるトンネル縫い目を通して延びる。ベルトでは、絞りひもは分岐し、かつベルトの中でトンネルを通して逆向きに指向される。絞りひもを締めることで、後部トンネル縫い目を内側に引き込み、着用者の体の輪郭を規定する。しかし、衣服の構築に依存して、絞りひもを締めることにより、衣服の後部の布地が望ましくなく集まって束ねられ得る。
【０００５】
従って、所望の規定を提供し、着用者の臀部の輪郭を形作り、そして着心地がよくかつファッショナブルの両方である衣服を有することが望ましい。
【発明の開示】
【課題を解決するための手段】
【０００６】
（本発明の要旨）
体型を規定し輪郭を形作る本発明の衣服は、着用者の体の輪郭を心地よくかつファッショナブルな様式でさらに規定することにより、着用者の体型を規定する役目を果たす。衣服は、好ましくは、衣服の内側後部に沿って延びる後部トンネルを有する身ごろと結合したベルト、およびベルトを通して延びるベルトトンネルを含む。後部トンネルは、好ましくは中心後部股上線に沿って形成され、低部股上または股領域からベルトまで延びる。低部股上または股領域に留められた絞りひもは、後部トンネルを通してベルトへと上に延び、ここでベルトの中のダイバータ領域を通してベルトトンネルに移行する。衣服の適合を調整するために、着用者は、絞りひもを引き、絞りひもを締め、後部トンネルおよび衣服の後部を内側に引き込み、着用者の体の輪郭を規定する。
【０００７】
本発明の１つの革新的な局面において、後部トンネルとベルトトンネルとの間の絞りひもの移行は、ベルトの中に有利に隠される。本発明の別の革新的な局面において、ベルトが、後部トンネルとベルトトンネルとの間で傾斜するかまたは先細りになる絞りひも移行を提供するダイバータ領域を含む。本発明のさらに別の革新的な局面において、ベルトのダイバータ領域および、従って、ベルトの中の移行もしくは調整点は、衣服の低部股上または股領域に対して実質的に固定される。結果として、絞りひもが締められる場合、後部トンネルおよび衣服の後部の中心部は内側に引き込まれて、着用者の体の輪郭を規定する。
【０００８】
好ましい実施形態では、ベルトは、表ベルトまたは上部ベルト（それは融合材料から作られた安定化層を含み得る）につながれた裏ベルトを含む。裏ベルトは、好ましくは裏打ち層につながれた主要または裏ベルト同一材料層を含む。カバーステッチの細部はダイバータ領域およびベルトトンネルを形成するために主要層および裏打ち層に適用される。好ましくは、ダイバータ領域は、融合材料を使用して安定化される。代替として、ベルトは、表ベルトにつながれた裏ベルトであって、裏ベルトと表ベルトとの間で形成されたベルトトンネルを有する、裏ベルト、および裏ベルトにつながれたダイバータを含み得る。
【０００９】
本発明のさらなる目的および利点は、これらの図面の熟慮および説明の確認から明白となり得る。
【００１０】
（好ましい実施形態の詳細な説明）
ここで図面を詳細に参照することにより、衣服の調整を容易にする新規のベルトおよび新規の製造方法を有する、体型を規定し輪郭を形作る衣服の好ましい実施形態が、ここに図示される。図１Ａ〜図１Ｂ、図２Ａ〜図２Ｂ、図３Ａ〜図３Ｂおよび図４Ａ〜図４Ｂを参照して、体型を規定し輪郭を形作る衣服は、ジップ前面比翼式ズボン１０（図１Ａ〜図１Ｂおよび図２Ａ〜図２Ｂ）およびプルオン式ズボン１００（図３Ａ〜図３Ｂおよび図４Ａ〜図４Ｂ）として、典型的な目的だけのために示される。当業者は、露出したかもしくは隠されたジッパーまたは他のファスナーあるいは、閉鎖具を備えた、プルオン式またはジップアップまたは閉鎖可能式のショーツ、ズボン、ブリーフ、水泳着、ランジェリーなどとして体型を規定し輪郭を形作る本発明の衣服を具体化し得ると理解する。好ましくは、衣服の主要な布地、または衣服「自体」は、伸縮自在型または非伸縮自在型の布地であり、天然繊維および／または人工繊維から形成されるニット布地、織られた布地、パイル布地、フラシ天布地またはスエード型布地が挙げられるがこれらに限定されない。
【００１１】
図１Ａおよび図１Ｂ（それは正面および背面の外観を提供する）を参照して、本発明のジップアップ前面比翼式ズボン１０は、前部部分２１および後部部分２２を有する主要身ごろ２０に接続されたベルト１１を含む。ズボン１０の前部部分２１および後部部分２２（これらは，右脚部分２３および左脚部分２４を含む）は，ともに右股下線２５および左股下線２６、右脇線２７および左脇線２８、ならびに前部中心股上線２９および後部中心股上線３０を形成して、連結されるか縫われる。ベルト１１は、取り付け縫い目１４を形成して、ズボン１０の主要身ごろ２０の頂部に縫われる。
【００１２】
ズボン１０の前部中心股上線２９は、股下線および股上の接合部または股領域３４から延び、ここでは、前部股上線２９および後部股上線３０ならびに右股下線２５および左股下線２６は前部比翼３１のベース３１Ａと接する。比翼３１（それは内部抜き出し３２（図２Ａを参照のこと）およびジッパーまたは比翼３１を閉じるための他のファスナーあるいは閉鎖具を好ましくは含む）は、前部中心股上線２９からベルト１１まで延びる。後部中心股上線３０はまた、股下線および股上の接合部領３４からベルト１１までにも延び、ここで後部中心股上線３０は取り付け縫い目１４と交差する。図１Ｂに描かれるように、取り付け縫い目１４および従ってベルト１１は、好ましくはズボン１０の後部で下向きに点３５へ傾斜し、ここで、中心後部股上線３０は取り付け縫い目１４と交差する。しかし、当業者は、ベルト１１が、種々の取り付け縫い目１４輪郭（直線の水平の接着縫い目輪郭が挙げられるがこれらに限定されない）を生じる種々の形状で構築され得ると理解する。
【００１３】
本発明のジップアップ前面比翼式ズボン１０または他の閉鎖可能なズボン、もしくは非プルオン式ズボンのためのベルト１１は、好ましくは閉鎖可能な末端を含む。図１Ａおよび図２Ａの中で描かれるように、ベルト１１の左側の上の片方の開いた末端１８は、好ましくはそこに形成された開口部１６を含み、一方で他方の開いた末端１９は、そこに取り付けられたボタンまたは他の閉鎖具のようなファスナー１７を含み、開いた末端１８および１９を互いに固定させる。代替として、他のファスナーまたは閉鎖具は、開いた末端１８および１９を固定するか閉じるために提供され得る。
【００１４】
図２Ａおよび図２Ｂ（これらはズボン１０の前部２１の背面２２の内面図を提供する）に示されるように、ベルト１１は、トンネル、チャンネルまたはケーシング４５を含み、これは、より詳しく下に記載される。ズボン１０はまた、好ましくは、中心後部股上線３０に沿って形成される、背面中心股上トンネル、チャンネルまたはケーシング３３（図２Ｂ）を含む。背面股上トンネル３３は、好ましくは、股下線および股上の接合部領域３４からトンネル４５に隣接しているベルト１１まで延びる。描かれるように、一対の開口部１２（図２Ａ）は、好ましくは開いた末端１８および１９に隣接するベルト１１の中に形成される。開口部は、絞りひも１３がベルトトンネル４５から出ることを可能にする。好ましい実施形態では、絞りひも１３は、ズボン１０の内部の中の股下線および股上接合部領域３４に接着されるか留められ、背面股上トンネル３３（図２Ｂ）を通して、次いでベルトトンネル４５を通して上方へ延びる。絞りひも１３を締めることは、好ましくは背面股上トンネル３３および後部中心股上線３０を内側に引き込み、着用者の体の輪郭を規定する。
【００１５】
図３Ａ〜図３Ｂおよび図４Ａ〜図４Ｂを参照して、本発明のプルオン式のズボン１００のそれぞれ外部図および内部図が、提供される。本発明のジップアップ前面比翼式のズボン１０のように、プルオン式ズボン１００は、身ごろ２０に繋がるベルト１１を備える。本体２０は、右脚部分および左脚部分（２３および２４）を含み、これらは、一緒になって左および右の股下線（２５および２６）ならびに前中心股上線および後中心股上線（２９および３０）を形成する。ズボン１００は、脇線を含み得るが、ズボン１００の図解した実施例は、図１Ａ〜図１Ｂおよび図２Ａ〜図２Ｂに示されるジップアップ式ズボン１０と違い、脇線を含まない。あるいは、ズボン１００は、脇線を含み、かつ、前中心股上線および後中心股上線を含まなくてもよい。ズボンの形態の本発明の他の実施形態（ズボン、ブリーフ、水着、ランジェリーなど）は、同様に構築され得る。
【００１６】
図３Ａおよび図３Ｂに示されるように、ベルト１１は、ズボン１００の主要身ごろ２０の上部と結合されて、付属縫目１４を形成する。ズボン１００の前中心股上線および後中心股上線（２９および３０）は、股下線および股上の結合領域３４（ここで、右股下縫目および左股下縫目（２５および２６）が接する）からベルト１１の付着縫目１４へ延びる。図示されるように、ベルト１１の端部１８および１９は、衣服の正面で結合され得るが、ベルト１１に沿った任意の位置（例えば、衣服の側面）で結合されてもよい。
【００１７】
ズボン１００の正面および背面の内部図を提供する図４Ａおよび図４Ｂにおいて示されるように、ベルト１１は、トンネル、チャンネルまたはケーシング４５を含む。ズボン１００はまた、好ましくは、後中心股上線３０に沿って形成される、背面股上トンネル、チャンネルまたはケーシング３３（図４Ｂ）を含む。背面股上トンネル３３は、好ましくは、股下線および股上の結合領域３４からベルト１１へ延び、ベルトトンネル４５に隣接する。後中心股上線を含まない実施形態について、布地のストリップが、内面に結合され得、そして（股下線および股上の結合領域３４からベルト１１へ延び、ベルトトンネル４５に隣接する）トンネル、ケーシングまたはチャンネルを形成する様式で、衣服の背面２２の中心に向かう。
【００１８】
図４Ａにおいて図示されるように、一対の開口部１２は、好ましくは、ベルト１１において、前中心股上線２９に隣接して形成される。開口部は、絞りひも１３を、ベルトトンネル４５から出し得る。上述のジップアップ式ズボン１０におけるように、絞りひも１３は、ズボン１００の内面における股下および股上の結合領域３４に結合またはアンカーされ、そして上へ向かって、背面股上トンネル３３（図４Ｂ）を通り、次いで、ベルトトンネル４５を通って延びる。絞りひも１３の引き締めは、背面股上トンネル３３および後中心股上線３０を内側に引き、着用者の身体の輪郭を規定する。
【００１９】
図５および図６Ａ〜図６Ｂを参照すると、本発明の新規のベルト１１が、完全に開かれた分解図で図５に示され、そして部分分解図および完全図で図６Ａ〜図６Ｂに示される。示されるように、ベルト１１は、体系を規定し輪郭を形作る衣服の調節を容易にし、布地の見えない絡みもしくはしわを排除する、多数の構成部分を備える。図示される実施形態が示すように、ベルト１１は、表ベルト３６（図１Ａ〜図１Ｂおよび図３Ａ〜図３Ｂにおいて示されるベルト１１の部分である）および裏ベルト３９（図２Ａ〜図２Ｂおよび図４Ａ〜図４Ｂにおいて示されるベルト１１の部分である）を備える。示されるように、表ベルト３６および裏ベルト３９の幅は、表ベルト３６および裏ベルト３９の中間点に向かって増大し、それにより、底部縁は、上部縁から表ベルト３６および裏ベルト３９の中間点に向かって、徐々に傾斜する。
【００２０】
図５を参照して、表ベルト３６は、好ましくは、衣服の主布地から形成される表ベルトの同一材料すなわち主層３７および主層３７に結合する融合層３８を含む。融合層３８は、好ましくは、熱または蒸気を用いて主層３７に融合する、ニットまたは織物の、粘着性材料で形成されるか、あるいは、主層３７に縫いつけられる非粘着材料で形成される。融合層３８は、主層３６を安定させるかまたは硬くする裏打ちとして使用され、主層３７が形成される布地が伸び得るかまたは拡大し得る量を減少させるかまたは制限する。
【００２１】
裏ベルト３９は、好ましくは、衣服の主布地から形成される裏ベルトの同一材料すなわち主層４０およびニットまたは織物材料で形成される裏打ち層４２（衣服の主布地上の裏打ちとして使用されるのが代表的であり、ベルトおよびポケットにおいても使用される）を含む。図５において、分離した構成部分として示されるが、表ベルトの同一材料層３７および裏ベルトの同一材料層４０は、折り畳まれ、表ベルト３６および裏ベルト３９の主層すなわち外層として作用する単一の構成部分として形成され得る。
【００２２】
以下で考察されるように、ベルトトンネル４５は、裏ベルト３９の主層４０と裏打ち４２との間に形成される（図６Ａ〜図６Ｂを参照）。上で考察された開口部１２（図２Ａおよび図４Ａを参照）は、好ましくは図５に示されるように、裏ベルト３９の主層４０内に形成され、主層４０の端部に隣接する。示されるように、裏ベルト３９は、好ましくは、融合アウトライン４０Ａおよび４０Ｂにおいて主層４０に付着し、主層４０を安定させる融合パッチ４１Ａおよび４１Ｂを含み、ここで開口部１２が形成される。開口部１２は、絞りひも１３を、ベルトトンネル４５から、衣服の内側へ出し得る。
【００２３】
図５において示されるように、融合材料または融合中心背面バンド４３はまた、好ましくは、融合アウトライン４３Ａで、ベルト３９の裏打ち４２の中心に付着する。融合中心背面バンド４３は、裏打ち４２のダイバータ領域４９および、従って、裏ベルト３９を安定させるために使用される。融合中心背面バンド４３は、裏打ち４２のダイバータ領域およびダイバータ開口部４４（ダイバータ領域において衣服の股下線および股上の結合領域３４に関連して形成される）を実質的に固定する傾向がある。結果として、図１Ａ〜図４Ｂに示される絞りひもが、締められる場合、ベルト１１またはその部分を下側に引っ張って衣服の背面において絡みまたはしわを生じることなく、背面股上トンネル３３および後ろ中心股上線３０を内側に引っ張る傾向がある。
【００２４】
図６Ａを参照すると、図５に示される表ベルトの同一材料層３７および融合層３８は、結合して、表ベルト３６を形成する。図５に示される裏ベルトの同一材料層４０および融合パッチ４１Ａ〜Ｂ、裏打ち層４２ならびに融合中心背面バンド４３もまた、結合して、裏ベルト３９を形成する。一旦結合すると、上側または上部カバーステッチ４６および下側または下部の左および右カバーステッチ４８および４７を備えるカバーステッチ詳細が、裏ベルト３９に加えられ、ほぼｙ字型のダイバータ領域４９およびトンネル、チャネルまたはケーシング４５を、裏ベルトの同一材料層４０と裏打ち４２との間に形成する。ダイバータ領域４９は、裏ベルト３９の中心に向かって配置され、そしてトンネル４５は、ダイバータ領域４９から裏ベルト３９の末端に向かって延びる。ダイバータ開口部４４は、好ましくは、ダイバータ領域４９の下部基部位置５０に、ベルトトンネル４５から下の、絞りひも１３がダイバータ開口部４４を通ってダイバータ領域４９に侵入し、ベルトトンネル４５内に延びる際の、絞りひも１３のための傾斜または先細り移行を有利に提供するために十分な、所定の距離で配置される。傾斜または先細り移行によって、ダイバータ領域４９は、絞りひもが締められた場合、ベルト１１にかけられた負荷の平衡を保つか、またはこの負荷を分配する傾向があり、従って、衣服の調節をさらに容易にし、衣服の背面において、布地の絡みまたはしわを防止する。
【００２５】
図６Ｂに示されるように、表および裏のベルト３６および３９を、ベルト１１を形成するために結合する。好ましくは、快適性、フィット感および柔軟性を保証するために、弾性または他の伸縮性の切り取って形を整えた材料は、表および裏ベルト３６および３９の間に置かれる。一旦組み合わせると、ベルト１１は、図１Ａ〜図４Ｂに示されるように衣服の身ごろ２０に取り付けられる。
【００２６】
ジップアップ式のおよびプルオン式のズボン１０および１００ならびに本発明の他の実施形態は、好ましくは、以下のように本発明に従って構成される。図５〜図６Ｂを参照すると、融合層３８は上端ベルト同一材料層３７にまず融合され、表ベルト３６を形成する。次に、融合パッチ４１は、それらの末端を隣接させて裏ベルト同一材料層４０に融合され、かつ中央背面バンド４３が裏打ち層４２の中央に融合される。前部開口部１２は次いで、層４０の末端に隣接して裏ベルト同一材料層４０内に印を付けられ、そして形成され、そしてダイバータ開口部４４は、裏打ち４２のダイバータ領域４９の低部基部５０内で印を付けられ、そして形成される。開口部１２の形成後、裏ベルト同一材料層４０および裏打ち層４２は、裏ベルト３９の下の上部で、かがり縫いにより結合される。次いで、ベルトのケーシング、チャンネルまたはトンネル４５（図６Ａ）は、上端および底部覆い縫目４６、４７および４８を、裏ベルト３９に適用することにより、裏ベルト同一材料層４０と裏ベルト３９の裏打ち４２との間に形成される。次に、ベルト１１の上端は、図１Ａ〜４Ｂに示される上端縫目１５で表および裏のベルト３６および３９を合わせることにより閉じられる。合わせられる場合、表ベルト同一材料層３７および裏ベルト同一材料層４０は、ベルト１１の外層または表面を形成する。結果として、ダイバータ開口部４４は、有利に、ベルト１１内部に隠される。
【００２７】
図１Ａ〜４Ｂを参照してみると、形成されたベルト１１を有する前面中央股上および背面中央股上は、前面中央股上線２９および後面中央股上線３０を形成して閉じられる。図１Ａ〜図２Ｂに示されるジップアップ前面比翼式ズボン１０については、前面比翼３１が前面中央股上線２９に、左側に取り付けられ、抜き出し３２は、前面中央縫目２９に、右側に取り付けられる。次に、中央背面縫目３０の端は、背面トンネル、チャンネルまたはケーシング３３を作製するために、かがり縫いされる（図２Ｂおよび図４Ｂ）。次いで、絞りひも１３は、背面トンネル３３に挿入され、内側の縫目および結合領域３４に固定される。右側および左側の股下線２５および２６は次いで、前面２１〜背面２２まで閉じられ、そして、脇線を有する衣服については、右および左の脇線２７および２８がまた前面２１〜背面２２まで閉じられる。表ベルト３６のより低い方の端は次いで、衣服の身ごろ２０に取り付けられ、図１Ａ〜図１Ｂおよび図３Ａ〜図３Ｂに示されるように、付属縫目１４を形成する。図３Ａ〜図４Ｂに示されるプルオン式ズボン１００については、ベルト１１の端１８および１９が次いで閉じられる。
【００２８】
身ごろ２０に取り付けた表ベルト３６に関しては、絞りひも１３がダイバータ開口部４４を通してダイバータ領域４９に挿入される。絞りひも１３の第１末端および第２末端は、ダイバータ部分４９から右側および左側に方向付けられ、ベルトトンネル４５の中に、およびベルト１１の前面に向かって方向付けられ、ここで、それらは、開口部１２の外側に方向付けられる。次いで、ベルト１１は、裏ベルト３９のより低い方の端を、図２Ａ〜図２Ｂおよび図４Ａ〜図４Ｂに示されるように取り付け縫目１４を形成して身ごろ２０に取り付けることにより、身ごろ２０に近接する。図２Ｂおよび図４Ｂに示されるように、裏ベルト３９のダイバータ部分４９のより低い基部５０は好ましくは、背面のトンネル３３の上部末端と重なり、従って、背面股上のトンネル３３とベルトトンネル４５との間の絞りひも１３の移行を有利に隠す。
【００２９】
図１Ａ〜図２Ｂに示す前面ファスナー式ズボン１０については、前面開口部１６は次いで、ベルト１１の前面左側末端１８に隣接してベルト１１内に印を付けられ、形成され、そして、ボタン１７は、ベルト１１の前面右側末端１９に隣接してベルト１１に取り付けられる。あるいは、他のファスナーまたは閉鎖具が、ベルト１１の前面末端１８および１９に取り付けられ得る。
【００３０】
着用時には、着用者は、本発明に従う、体形を特徴付け、そして輪郭を形作る衣服（例えば、上に記載されたファスナー式およびプルオン式のズボン１０および１００）を穿いて、そして、衣服の前面にある絞りひも１３を引いて、絞りひも１３を締めることにより、衣服の適合を合わせる。ダイバータ開口部４４および従ってベルト１１のダイバータ領域４９は、実質的に、衣服の股下線および股上線の結合部分３４に対して固定される傾向があるので、引きひも１３の引き締めにより、背面股上のトンネル３３および中央背面股上線３０が引かれ、着用者の身体の輪郭を規定する。
【００３１】
代替実施形態において、図７Ａおよび図７Ｂを参照すると、ベルト１１１は、前に記載したよりも少数の構成要素からなり得る。例えば、表ベルト１３６は、好ましくは１層の素材を含み得、特に、ベルト自体が十分にしっかりしているかまたは硬い場合はそうである。さらに、ベルトの主要層と裏ベルト構成要素の裏打ちとの間のトンネル、チャンネルまたはケーシングを形成する代わりに、トンネル１４５は、表ベルト１３６と裏ベルト１３９との間に形成され得、これは、図示されるように、好ましくは材料の単一層を含み得る。ベルトトンネル１４５は、図７Ｂに示されるように、上端および下部覆い縫目１４６、１４７および１４８を包含する覆い縫目詳細部をベルト１１１に適用することにより、構成され得る。好ましい実施形態では、ベルト１１１はまた、ベルト１１１を安定化し、そして、実質的にダイバータ開口部１４４を衣服の内部縫目と股上線との結合領域に対して固定するために十分に硬い材料から形成された中央背面帯ダイバータ１４３を含む。ダイバータ１４３は、好ましくは、裏ベルト１３９に対して、その上側の端１４９Ａおよび１４９Ｂを除いて、その端の周りで取り付けられ、ベルト１３６およびベルト１３９が、組み合わされる場合、表ベルト１３６と裏ベルト１３９との間に挿入され、ベルト１１１を形成する。
【００３２】
ベルト１１１が、本発明の衣服体型を規定し、その輪郭を形作る体型に組込まれる場合、絞りひもは、ダイバータ１４３中に形成されたダイバータ開口部１４４を介して、裏ベルト１３９とダイバータ１４３との間のダイバータ領域に延びる。絞りひもの末端は、ベルトトンネル１４５を介して、ダイバータ１４３の側部１４９Ａおよび１４９Ｂの外側に伸び、裏ベルト１３９に形成された開口部１１２を介して、好ましくは、衣服の前面のトンネル１４５から出る。
【００３３】
代替実施形態であるベルト１１１が、ベルト１１の代わりに、図１Ａ〜４Ｂに示されるジップアップ式およびプルオン式ズボン１０および１００に組み込まれる場合、ズボンは好ましくは、以下のように、本発明に従って構成される。図７Ａ〜図７Ｂを参照すると、中央背面帯ダイバータ１４３は、側端部１４９Ａ〜１４９Ｂを除いて、その外端部を裏ベルト１３９の中央背面に縫い付けられる。次いで、前面開口部１１２が、裏ベルト１３９の末端に隣接して裏ベルト１３９に、印を付けられ、そして形成され、そして、ダイバータ開口部１４４は、ダイバータ１４３の低部基部１５０内で印を付けられ、そして形成される。開口部の形成後、ベルト１１１は、図１Ａ〜４Ｂに示すように、上端縫目１５で、表および裏のベルト１３６および１３９を結合することにより閉じられる。表および裏のベルト１３６および１３９を結合する場合、ダイバータ１４３および従って、ダイバータ開口部１４４は、有利にベルト１１１内部に隠される。
【００３４】
次いで、図１Ａ〜４Ｂに示されるように、前面および背面股上が、閉じられ、前面および背面股上線２９および３０を形成する。図１Ａ〜図２Ｂに示されるジップアップ前面比翼式ズボン１０については、前面比翼３１が前面股上線２９に、左側に取り付けられ、抜き出し３２は、前面股上線２９に、右側に取り付けられる。次に、中央背面股上線３０の端は、背面股上トンネル、チャンネルまたはケーシング３３を作製するために、かがり縫いされる。次いで、絞りひも１３は、背面股上トンネル３３に挿入され、股上線および股上の結合領域３４に固定される。右側および左側の股下線２５および２６は次いで、前面２１〜背面２２まで閉じられ、そして、脇線を有する衣服については、右側および左側の脇線２７および２８がまた前面２１〜背面２２まで閉じられる。表ベルト１３６のより低い方の端は次いで、図１Ａ〜図１Ｂおよび図３Ａ〜図３Ｂに示される、付属縫目１４を形成して、衣服の身ごろ２０に取り付けられる。ベルトケーシング、チャンネルまたはトンネル１４５は次いで、上端および底部覆い縫目１４６、１４７および１４８を、ベルト１１１に適用することにより、裏ベルト１３９と表ベルト１３６との間に形成される。次いで、絞りひも１３は、ダイバータ開口部１４４を介してダイバータ領域に挿入される。絞りひも１３の第１末端および第２末端は、ダイバータ部分からベルトトンネル１４５の中に右側および左側に方向付けられ、そして、ベルト１１１の前面に向かって方向付けられ、ここで、それらは、開口部１１２の外側に方向付けられる。次いで、ベルト１１１は、図２Ａ〜図２Ｂおよび図４Ａ〜図４Ｂに示される、取り付け縫目１４を形成して裏ベルト１３９のより低い方の端を、身ごろ２０に取り付けることにより、身ごろ２０に近接する。図３Ａ〜図４Ｂに示されるプルオン式のズボン１００については、ベルト１１１の末端がまた閉じられる。図２Ｂおよび図４Ｂに示されるように、ダイバータ１４３の低部基部１５０および裏ベルト１３９は、好ましくは、背面股上のトンネル３３の上部末端と重なり、従って、背面股上のトンネル３３とベルトトンネル１４５との間の絞りひも１３の移行を有利に隠す。
【００３５】
着用時には、着用者は、本発明に従う、体形を特徴付け、そして輪郭を形作る衣服（例えば、上に記載された代替実施例ベルト１１１を有するジップアップ式およびプルオン式のズボン１０および１００）を穿き、そして、絞りひも１３を引いて、絞りひも１３を締めることにより、衣服の適合を合わせる。ダイバータ開口部１４４および従ってベルト１１１のダイバータ領域は、実質的に衣服の内部縫目と股上との結合部分に対して固定されがちであるので、絞りひも１３の引き締めは、背面股上のトンネル３３および中央後面股上線３０が引かれて着用者の身体の輪郭を規定する原因となる。
【００３６】
従って、体形を規定し、輪郭を描く衣服は、従来技術に対して多くの利点を提供する。上の記載は、多くの仕様を含むが、これらは、本発明の範囲についての限定として解釈されるべきではなく、むしろその好ましい実施形態の例示として解釈されるべきである。他の多くの変化が可能である。
【００３７】
従って、本発明の範囲は、上に例示した実施形態によって決定されるべきではなく、特許請求の範囲およびそれらの法律的な均等物によって決定されるべきである。
【図面の簡単な説明】
【００３８】
【図１Ａ】図１Ａは、本発明に従うジップアップ前面比翼式ズボンの前面の外側の平面図である。
【図１Ｂ】図１Ｂは、本発明に従う一対のジップアップ前面比翼式ズボンの背面の外部の平面図である。
【図２Ａ】図２Ａは、図１Ａおよび図１Ｂに示されるズボンの前面の内部の平面図である。
【図２Ｂ】図２Ｂは、図１Ａおよび図１Ｂに示されるズボンの背面の内部の平面図である。
【図３Ａ】図３Ａは、本発明に従うプルオン式ズボンの前面の外側平面図である。
【図３Ｂ】図３Ｂは、本発明に従う一対のプルオン式ズボンの背面の外側平面図である。
【図４Ａ】図４Ａは、図３Ａおよび３Ｂに示されるズボンの前面の内部の平面図である。
【図４Ｂ】図４Ｂは、図３Ａおよび３Ｂに示されるズボンの背面の内部の平面図である。
【図５】図５は、本発明に従うベルトの分解平面図である。
【図６Ａ】図６Ａは、部分的に組み立てた図５に示されるベルトの部分分解平面図である。
【図６Ｂ】図６Ｂは、図５および６Ａに示されるベルトの完全に組み立てた平面図である。
【図７Ａ】図７Ａは、本発明に従うベルトの代替の実施形態の分解図である。
【図７Ｂ】図７Ｂは、図７Ａに示されるベルトの完全に組み立てた図である。
2005530932.tif 000003
2005530932.tif 000004
2005530932.tif 000005
2005530932.tif 000006
【図５】
2005530932.tif 000007
2005530932.tif 000008
2005530932.tif 000009
【国際調査報告】
2005530932.tif 000010